(57)【要約】【課題】ヒートポンプ装置を用いることで冷熱器により外気を吸い込まないで誘導加熱手段を効率良く冷却することが可能で、また、放熱器を被加熱物の加熱に利用することで無駄に熱エネルギーを排出しないので、加熱時間の短縮と省エネを実現すること。【解決手段】圧縮機２１と、圧縮後の高温高圧の冷媒の熱を放熱する放熱器２２と、高圧の冷媒の圧力を減圧するための絞り手段２３と、減圧されて低圧となった冷媒が周囲の熱を奪う冷熱器２４とを冷媒が循環するように管路２５で連結したヒートポンプ装置２０と、加熱コイル８と、加熱コイル８に高周波電流を供給することにより被加熱物３を誘導加熱する誘導加熱手段９とを備え、誘導加熱手段９を冷熱器２４によって冷却すること。【選択図】図２
2007179904.tif 000002
【特許請求の範囲】
【請求項１】
圧縮機と、圧縮後の高温高圧の冷媒の熱を放熱する放熱器と、高圧の冷媒の圧力を減圧するための絞り手段と、減圧されて低温低圧となった冷媒が周囲の熱を奪う冷熱器を経て前記圧縮機に戻り前記冷媒が循環するように管路で連結したヒートポンプ装置と、加熱コイルと、前記加熱コイルに高周波電流を供給することによりトッププレートに載置した被加熱物を誘導加熱する誘導加熱手段とを備え、前記誘導加熱手段を前記冷熱器によって冷却することを特徴とする誘導加熱調理器。
【請求項２】
放熱器から発生する熱を被加熱物の加熱に利用することを特徴とする請求項１に記載の誘導加熱調理器。
【発明の詳細な説明】
【技術分野】
【０００１】
本発明は一般家庭やレストラン及びオフィスなどで使用される誘導加熱調理器に関するものである。
【背景技術】
【０００２】
従来、この種の誘導加熱調理器は、誘導加熱動作時に高温となる誘導加熱手段を冷却ファンにより冷却していた。つまり、誘導加熱手段を冷却するための冷却風の流れは吸気口より外気を吸い込み冷却ファンを通って、誘導加熱手段を冷却してから排気口より吐き出しているものが提案されている（例えば、特許文献１参照）。
【特許文献１】特開昭６１−５１７９３号公報
【発明の開示】
【発明が解決しようとする課題】
【０００３】
しかしながら、前記従来の構成では、吸気口より外気を吸い込み冷却ファンを通って、誘導加熱手段を冷却していたので、外気の温度が高い時には誘導加熱手段を効率良く冷却することができないという課題を有していた。
【０００４】
また、調理中に油煙等を吸い込み誘導加熱手段を構成する制御回路へ付着し、制御回路が故障してしまうという課題も有していた。
【０００５】
また、高温の誘導加熱手段を通って温風になったものを排出口より吐き出しているので無駄に熱エネルギーを排出しているという課題も有していた。
【０００６】
本発明は、前記従来の課題を解決するもので、ヒートポンプ装置を用いることで冷熱器により外気を吸い込まないで誘導加熱手段を効率良く冷却することが可能で、また、放熱器を被加熱物の加熱に利用することで無駄に熱エネルギーを排出しないので、加熱時間の短縮と省エネを実現する誘導加熱調理器を提供することを目的とする。
【課題を解決するための手段】
【０００７】
前記従来の課題を解決するために、本発明の誘導加熱調理器は、圧縮機と、圧縮後の高温高圧の冷媒の熱を放熱する放熱器と、高圧の冷媒の圧力を減圧するための絞り手段と、減圧されて低温低圧となった冷媒が周囲の熱を奪う冷熱器を経て前記圧縮機に戻り前記冷媒が循環するように管路で連結したヒートポンプ装置と、加熱コイルと、前記加熱コイルに高周波電流を供給することによりトッププレートに載置した被加熱物を誘導加熱する誘導加熱手段とを備え、前記誘導加熱手段を前記冷熱器によって冷却するものである。
【０００８】
これによって、外気を吸い込まないで誘導加熱手段を効率良く冷却することが可能となる誘導加熱調理器を提供することができる。
【発明の効果】
【０００９】
本発明の誘導加熱調理器は、ヒートポンプ装置を用いることで冷熱器により外気を吸い込まないで誘導加熱手段を効率良く冷却することが可能で、また、放熱器を被加熱物の加熱に利用することで無駄に熱エネルギーを排出しないので、加熱時間の短縮と省エネを実現することができる。
【発明を実施するための最良の形態】
【００１０】
第１の発明は、圧縮機と、圧縮後の高温高圧の冷媒の熱を放熱する放熱器と、高圧の冷媒の圧力を減圧するための絞り手段と、減圧されて低温低圧となった冷媒が周囲の熱を奪う冷熱器を経て前記圧縮機に戻り前記冷媒が循環するように管路で連結したヒートポンプ装置と、加熱コイルと、前記加熱コイルに高周波電流を供給することによりトッププレートに載置した被加熱物を誘導加熱する誘導加熱手段とを備え、前記誘導加熱手段を前記冷熱器によって冷却するとすることにより、外気を吸い込まないで誘導加熱手段を効率良く冷却することが可能な誘導加熱調理器を提供することができる。
【００１１】
第２の発明は、特に、第１の発明において、放熱器から発生する熱を被加熱物の加熱に利用するとすることにより、無駄に熱エネルギーを排出しないので、加熱時間の短縮と省エネを実現することができる加熱調理器を提供することができる。
【００１２】
以下、本発明の実施の形態について、図面を用いて説明する。なお、この実施の形態によって本発明が限定されるものではない。
【００１３】
（実施の形態１）
図１は、本発明の第１の実施の形態における誘導加熱調理器の構成を示すブロック図である。以下、図にしたがって、本実施の形態の構成とその機能について説明する。
【００１４】
図１において、外郭ケース１の上部にトップレート２が設けられている。トッププレート２には誘導加熱により鍋などの被加熱物３を加熱する加熱部４および輻射加熱をする加熱部５が設けられている。さらに、魚等を焼くロースタ６、および熱源の操作をする操作部７が外郭ケース１の側面に設けられている。また、トッププレート２の下方には誘導加熱コイル８およびラジエントヒータが加熱部４および加熱部５に対応して設けられている。この他に、誘導加熱調理器の発熱する部分として、誘導加熱コイル８の下方に誘導加熱コイル８を制御するインバータ回路を含む誘導加熱手段９とヒートポンプ装置２０が設けられている。
【００１５】
図２は、本発明の実施の形態１における誘導加熱調理器の加熱部４の構成を示したものである。以下、加熱部４の動作について説明する。
【００１６】
図２において、ヒートポンプ装置２０は、圧縮機２１と、圧縮後の高温高圧の冷媒の熱を放熱する放熱器２２と、高圧の冷媒の圧力を減圧するための絞り手段２３と、減圧されて低圧となった冷媒が周囲の熱を奪う冷熱器２４とを冷媒が循環するように管路２５で連結されている。
【００１７】
加熱部４で被加熱物を加熱する場合は、誘導加熱手段９により加熱コイル２に高周波電流を供給することにより被加熱物３を誘導加熱させる。そして、誘導加熱をしている時はヒートポンプ装置２０を動作させる。つまり、圧縮機２１を動作させて、誘導加熱手段９を構成している半導体のスイッチング素子が高温となって熱破壊をしないように送風機２６を回転させて冷熱器２４で周囲の熱を奪い誘導加熱手段９を冷却する。
【００１８】
次に放熱器２２で冷媒の熱をトッププレート２へ放熱することにより、誘導加熱手段９だけで加熱する以上に熱エネルギーを被加熱物３の加熱に利用することができるので、加熱時間の短縮と省エネを実現することができる。
【産業上の利用可能性】
【００１９】
以上のように、本発明にかかる誘導加熱調理器は、ヒートポンプ装置を用いることで冷熱器により外気を吸い込まないで誘導加熱手段を効率良く冷却することが可能で、また、放熱器を被加熱物の加熱に利用することで無駄に熱エネルギーを排出しないので、加熱時間の短縮と省エネを実現することができるので、ヒートポンプ装置を搭載して誘導加熱を行う一般家庭やレストラン及びオフィスなどで使用される加熱調理器等の用途にも適用できる。
【図面の簡単な説明】
【００２０】
【図１】本発明の実施の形態１における誘導加熱調理器の斜視図
【図２】本発明の実施の形態１における誘導加熱調理器の加熱部のブロック図
【符号の説明】
【００２１】
２  トッププレート
８  加熱コイル
９  誘導加熱手段
２０  ヒートポンプ装置
２１  圧縮機
２２  放熱器
２３  絞り手段
２４  冷熱器
２５  管路
【図１】
2007179904.tif 000003
【図２】
2007179904.tif 000004